(57)【要約】【課題】前開き時の保形強度に優れ、段積み状態で前壁部を開放した場合に、左右側壁部のぐらつきを規制でき、上部からの荷重を安定性よく支えることができる保冷容器を提供する。【解決手段】合成樹脂発泡体を主体として形成された底部１１及び前後壁部１２，１４及び左右側壁部１３，１５よりなる平面略矩形の容器本体１０と、その上面開口部１０ａを覆う蓋体２０とからなり、容器本体１０の前壁部１２の少なくとも一部を、下端部の折曲可能な連接部３１ａを介して外側に開放可能に設けた保冷容器Ａにおいて、容器本体１０の上部開口端部に、開放可能な前壁部分１２ａを含めて全周に渡って連続する平面略矩形の補強枠１を被着し、前開き状態を安定させる。【選択図】          図１
2006051961.tif 000002
【特許請求の範囲】
【請求項１】
合成樹脂発泡体を主体にして形成された底部及び前後壁部及び左右側壁部よりなる平面略矩形の容器本体と、前記容器本体の上面開口部を覆う蓋体とからなり、前記容器本体の前壁部における少なくとも一部が、下端部の折曲可能な連接部を介して外側に開放可能に設けられてなる保冷容器において、
前記容器本体上部の開口端部に、前記開放可能な前壁部分から前面両側コーナー部に渡って連続する補強枠が被着されてなることを特徴とする保冷容器。
【請求項２】
前記補強枠部が、開放可能な前壁部分を含めて全周に渡って連続する平面略矩形をなしている請求項１に記載の保冷容器。
【請求項３】
前記容器本体は、前記開放可能な前壁部分を除いて、底部、後側壁部及び左右側壁部の４面を含む全体が一体に成形されてなる請求項１または２に記載の保冷容器。
【請求項４】
前記前壁部の少なくとも一部が上端から底部位置まで開口せしめられるとともに、該開口部に嵌合する前壁部分が、その下端部で前記底部に対し折曲可能に連接されて開閉可能に設けられてなる請求項１〜３のいずれか１項に記載の保冷容器。
【請求項５】
前記開放可能な前壁部分が、上半部分と下半部分とに分離形成されるとともに、上半部分が下半部分に対し外側に折曲可能に連接されてなる請求項４に記載の保冷容器。
【請求項６】
前記前壁部の開口部が、左右両側に若干幅の端壁部分を残して形成され、左右両側の端壁部分の少なくとも下半部と底部端縁とに沿って補強用枠部材が取着されてなる請求項４または５に記載の保冷容器。
【請求項７】
前記補強用枠部材の前記両側の端壁部分に沿う部分には、容器内側面に沿って開口部内方に張り出し、前記開口部に嵌合する前記前壁部分の位置決めをなす張り出し係合部が一体に形成されてなる請求項６に記載の保冷容器。
【請求項８】
前記容器本体及び蓋体は、容器外側面がカバー体により覆われており、前記開放可能な前壁部分が前記カバー体により折曲可能に連接されてなる請求項１〜７のいずれか１項に記載の保冷容器。
【請求項９】
前記開放可能な前壁部分の両側より前記カバー体の一部が延設されて、該延設部片と該延設部片が対接し得る前面両側部分とに、相互に係合自在な係合手段が取着されてなる請求項８に記載の保冷容器。
【請求項１０】
前記補強枠は、前後及び左右の四辺に略対応する４つの断面略伏凹形の枠部材が、容器本体上部の開口端部に嵌合被着されて平面略矩形に連接構成されてなる請求項１〜９のいずれか１項に記載の保冷容器。
【請求項１１】
前壁部に対応する枠部材は、その内側板が下方に延長形成されて、前記前壁部分のが前記前壁部の開口部に嵌合する前壁部分の上端部が当接し得るように設けられてなる請求項１０に記載の保冷容器。
【請求項１２】
平面略矩形の容器本体と、前記容器本体の上面開口部を覆う蓋体とからなり、前記容器本体の前壁部の少なくとも一部が外側に開放可能に設けられてなる保冷容器において、前記容器本体上部の開口端部に被着される補強枠であって、
前後及び左右の四辺に対応する４つの枠部材により平面略矩形に連接可能に構成されてなり、前記４つの枠部材のうち、一方の相対向する両辺の第１の対をなす枠部材は該辺の長さよりやや短く、他方の相対向する両辺の第２の対をなす枠部材は、両端部がコーナー部に沿って互いの対向方向に屈曲延成されて平面略コ字形をなし、該枠部材の両端部と前記第１の枠部材の端部とが突き合わせ状に連接されることを特徴とする補強枠。
【請求項１３】
前記第１の枠部材の両端部には、前記第２の枠部材の両端部の水平板部の下に挿入される連結片が突設され、該連結片に係合孔が形成されるとともに、その上に載設する前記枠部材の水平板部の下面に前記係合孔に対し嵌入可能な係合突起が設けられ、容器本体の開口端部に対する被着状態において、前記係合孔に前記係合突起が嵌入せしめられる請求項１２に記載の補強枠。
【請求項１４】
平面略コ字形の前記第２の枠部材の内外両側板には、長手方向の所要間隔毎に、容器本体上部の開口端部に対する嵌合時の抜け止めになる逆鉤が設けられてなる請求項１３に記載の補強枠。
【発明の詳細な説明】
【技術分野】
【０００１】
本発明は、保冷を要する生鮮物等の物品の保管、運搬に使用される前開き可能な保冷容器及びこれに使用される補強枠に関するものである。
【背景技術】
【０００２】
各種生鮮物等の保管、輸送等に使用する保冷容器として、合成樹脂発泡体を主材とする容器本体と、その上面開口部を覆う蓋体とよりなり、これら容器本体及び蓋体の外側面が可撓性のあるカバー体により覆われて構成された容器において、使用上の要求から、蓋着状態のままで四周の側壁の一部、例えば前壁部を開放可能に構成した容器が知られている。
【０００３】
すなわち、かかる保冷容器の使用において、各種生鮮物等の物品を収納して大型冷蔵庫（冷蔵室）内で段積みした状態で内容物を冷却し予冷を行うことが行われているが、この際、容器内部（特に下部）への冷気流通をよくするために、段積み状態のままで各容器の側壁の一部、例えば前壁部を開放できる構造のものが使用されることが多い。また、段積み状態での保管、輸送中において、一部の内容物の確認や出し入れを必要とする場合があり、この場合にも、蓋着状態及び段積み状態のままで前壁部を開放できる構造が求められる。そのため、前壁部の少なくとも一部、特には略全面を開放できる構造の容器が種々提案されている。
【０００４】
例えば、下記の特許文献１には、底部と前後壁部及び左右側壁部とよりなる容器本体と、該容器本体の上面開口部を覆う蓋体とからなる保冷保温ボックスにおいて、前壁部の全部もしくは一部を外側に開放可能に構成したものが提案されている。
【０００５】
また、下記の特許文献２には、車両の荷台積載用保冷カバーとして、断熱材より形成された別体の保冷容器に対し包被使用するものにおいて、手前面の少なくとも一部をその下端部を支点にして開閉可能に構成したものが提案されている。
【特許文献１】特開平１１−５９７３９号公報
【特許文献２】特開２００２−１０４５４３号公報
【発明の開示】
【発明が解決しようとする課題】
【０００６】
前記特許文献１の保冷保温ボックスのように、前壁部の全部又は一部を開放するようにした容器の場合、その開放によって容器前面が左右に分断された状態になる。そのため、蓋着状態であっても、上部から大きな荷重、例えば段積み荷重が作用すると、左右側壁部が外側に拡開したり、ぐらつきが生じ易くなり、段積み状態が不安定になり易いものである。特に、特許文献１の容器のように、容器本体が折り畳み可能に形成されている場合、各側壁と底部の一体性に乏しく、前記の問題の発生がさらに顕著になる。もちろん、合成樹脂発泡体により、容器本体の底部と左右側壁部及び後壁部の４面を一体に成形した容器の場合も、前壁部を開放した状態においては左右側壁部がぐらつき易くなり、段積み荷重を安定性よく支えることができないものである。
【０００７】
前記特許文献２の荷台積載用保冷カバーの場合も、カバー自体は、特許文献１の場合と同様に、前面開放時には左右側板が拡開したりぐらつきが生じ易く、段積み状態で手前面を開放するのには適さないないものである。
【０００８】
本発明は、上記に鑑みてなしたものであり、特に前開き可能な保冷容器において、前開き時の保形強度に優れ、多数を段積みした状態で前壁部を開放した場合にも、左右側壁部の拡開やぐらつきを規制できて、段積み荷重等の上部からの荷重を安定性よく支えることができ、しかも前壁部の開閉操作が容易で、かつ保冷効果も良好に保持できる保冷容器を提供するものである。
【課題を解決するための手段】
【０００９】
上記の課題を解決する本発明の保冷容器は、合成樹脂発泡体を主体として形成された底部及び前後壁部及び左右側壁部よりなる平面略矩形の容器本体と、前記容器本体の上面開口部を覆う蓋体とからなり、前記容器本体の前壁部の少なくとも一部が、下端部の折曲可能な連接部を介して外側に開放可能に設けられてなる保冷容器において、前記容器本体上部の開口端部に、前記開放可能な前壁部分から前面両側コーナー部に渡って連続する補強枠が被着されてなることを特徴とする。特に、前記補強枠部は、開放可能な前壁部分を含めて全周に渡って連続する平面略矩形をなしているものとするのが好ましい。
【００１０】
この保冷容器によれば、内部に生鮮物等の物品を収納して包装した状態において、前壁部の少なくとも一部の前壁部分を外側に折曲して開放することができる。例えば、大型冷蔵庫内において、保冷容器を複数段に段積みして、内容物品を冷却し予冷を行う際、段積み状態のままで前記前壁部分を開放することができ、また、輸送中や保管中に、内容物品を確認したり、一部の物品を取り出す必要がある場合にも、段積み状態のままで前記前壁部分を開放できる。
【００１１】
しかも、本発明の場合、前記のように前壁部分を開放した状態においても、前記容器本体上部の開口端部における前記の前壁部分が、該前壁部分から前面両側コーナー部に渡って連続する補強枠により補強され、特に前記補強枠が平面略矩形をなすように全周に渡って連続している場合は、該開口端部が連続状に保持されて補強されているため、前面で分離状態になる容器本体の特に左右側壁部の動きが封じられて、上部から大きい荷重が作用しても、左右側壁部が拡開したり、ぐらついたりするおそれがなく、前開き状態での容器全体の保形性に優れ、段積み荷重を安定性よく支えることができる。すなわち、段積み状態で前壁部分を開放する（前開き）使用が問題なく可能になる。
【００１２】
特に、前記容器本体が、前記開放可能な前壁部分を除いて、底部、後側壁部及び左右側壁部の４面を含む全体を一体に成形してなるものとするのが好ましく、この場合、前開き使用時の保形性、段積み荷重に対する安定性がさらによくなるばかりか、底部と、後側壁部及び左右側壁部との間からの冷気流出の虞がなく、保冷効果を良好に保持できる。
【００１３】
前記前壁部の少なくとも一部が上端から底部位置まで開口せしめられるとともに、該開口部に嵌合する前壁部分が、その下端部で前記底部に対し折曲可能に連接されて開閉可能に設けられてなるものとすることができる。これにより、前記前壁部の少なくとも一部、例えば中央部の前壁部分を、底部まで大きく開放することができる。しかも、非開放状態においては、前記前壁部分が底部上で前記開口部に嵌合することで、閉止状態が安定する上、冷気流出を適度に抑制できることにもなる。
【００１４】
前記の保冷容器において、前記開放可能な前壁部分が、上半部と下半部とに分離形成されるとともに、上半部が下半部に対し外側に折曲可能に連接されてなるものとすることができる。
【００１５】
この場合、前記前壁部における開放可能な前壁部分の全体を大きく開放させる場合と、上半部のみを開放させる場合とを、使用上における開放目的に応じて選択できる。例えば、冷蔵庫内で段積みしての冷却予冷の際には、上半部のみを外側に折曲して開放することにより、外側への張り出しを小さくでき、限られたスペース内に効率良く段積みしかつ前壁部の一部を開放させることができる。
【００１６】
特に、前記のように外側に折曲した上半部を下半部に対し面ファスナー等の係合手段により係合するようにした場合、前記開放状態での外方への張り出しがさらに小さくなり、この状態で台車やパレットに載せて移動させる場合にも、開放した前記前壁部分が他物に接触したりすることがない。
【００１７】
前記前壁部の開口部が、左右両側に若干幅の端壁部分を残して形成され、左右両側の端壁部分の少なくとも下半部と底部端縁とに沿って補強用枠部材が取着されてなるものとすることができる。これにより、前記開口部の周縁を補強でき、前壁部分の開閉や内容物品の出し入れの繰り返しによる損傷を防止できる。
【００１８】
前記補強用枠部材の前記両側部分に沿う部分に、容器内側面に沿って開口部内方に張り出して、前記開口部に嵌合する前記前壁部分の位置決めをなす張り出し係合部が一体に形成されてなるものとすることができる。これにより、前記前壁部分を開放状態から前記開口部に嵌合して閉止する際、前壁部分の過度の入り込みを防止できて所定位置に確実に嵌合できる。その上、前記の嵌合状態において、前記張り出し係合部が前記前壁部分と両側端壁部分との間からの冷気流出を抑制できることになり、保冷状態を良好に保持できる。
【００１９】
前記容器本体及び蓋体は、容器外側面がカバー体により覆われており、前記開放可能な前壁部分が前記カバー体により折曲可能に連接されてなる。これにより、容器本体及び蓋体の合成樹脂発泡体の外面を保護でき、その耐久性を向上できる上、前記前壁部分の開閉のための折曲可能な連接部を、カバー体により形成でき、充分な連接及び折曲強度を保有できる。
【００２０】
前記開放可能な前壁部分の両側より前記カバー体の一部が延設されて、該延設部片と該延設部片が対接し得る前面両側部分とに、相互に係合自在な面ファスナー等の係合手段が取着されてなるものとすることができる。これにより、開放可能な前壁部分を閉止状態に良好に保持できるとともに、前記延設部片により前記前壁部分と両側部分との間の隙間を塞ぐことができ、閉止状態での冷気流出を抑制できる。
【００２１】
前記補強枠は、前後及び左右の四辺に略対応する４つの断面略伏凹形の枠部材が、容器本体上部の開口端部に嵌合被着されて平面略矩形に連接構成されてなる。これにより、適度の保形強度を持ち、上記したように容器本体上部の開口端部を補強できる。前記補強枠における前壁部に対応する枠部材は、その内側板が下方に延長形成されて、前記前壁部分のが前記前壁部の開口部に嵌合する前壁部分の上端部が当接し得るように設けられてなるものが好ましく、これにより、前記前壁部分を開放状態から前記開口部に嵌合して閉止した際に、該前壁部分の上端部が過度に入り込むのを防止できるとともに、該上端部と補強枠との間からの冷気流出を抑制できることになる。
【００２２】
特に、前記の補強枠として、前後及び左右の四辺に対応する４つの枠部材により平面略矩形に連接可能に構成されてなるものにおいて、前記４つの枠部材のうち、一方の相対向する両辺の第１の対をなす枠部材は該辺の長さよりやや短く、他方の相対向する両辺の第２の対をなす枠部材は、両端部がコーナー部に沿って互いの対向方向に屈曲延成されて平面略コ字形をなし、該枠部材の両端部と前記第１の枠部材の端部とが突き合わせ状に連接されるものが好ましい。
【００２３】
この構成の補強枠によれば、上記したように、容器本体上部の変形、特に左右側壁部の拡開やぐらつきを規制できる上、特に、前記他方の第２の枠部材がその両端部の屈曲延成により平面略コ字形をなしているために、該両端部に嵌合する相対向する側壁部の相互の拡がりを規制でき、補強枠による保形効果が一層安定したものになる。
【００２４】
前記第１の枠部材の両端部には、前記第２の枠部材の両端部の水平板部の下に挿入される連結片が突設され、該連結片に係合孔が形成されるとともに、その上に載設する前記枠部材の水平板部の下面に前記係合孔に対し嵌入可能な係合突起が設けられ、容器本体の開口端部に対する被着状態において、前記係合孔に前記係合突起が嵌入せしめられるものが特に好適に使用される。これにより、前記補強枠の組立が容易になり、容器本体の上端開口部に被着するのと同時に、枠部材を相互を連結することができる。
【００２５】
前記の補強枠として、平面略コ字形の前記第２の枠部材の内外両側板には、長手方向の所要間隔毎に、容器本体上部の開口端部に対する嵌合時の抜け止めになる逆鉤が設けられてなるものが好ましい。すなわち、前記枠部材は、一旦容器本体上部の開口端部に被着されると、前記逆鉤の引っかかり作用で容易に外れることがなく、安定性のよい被着状態を保持できる。また、前記一方の枠部材は、両端部の連結片が前記他方の枠部材の下に挿入されて係合連結されるため、容易に外れることがない。
【発明の効果】
【００２６】
本発明の保冷容器は、内部に生鮮物等の物品を収納して段積みした状態において、前壁部の少なくとも一部の前壁部分を、その必要に応じて適宜開放することができるばかりか、特に、前記容器本体上部の開口端部に平面略矩形の前記補強枠が被着されて連続状に保持されているため、前記のように前壁部分を開放した状態においても、補強枠により左右側壁部の動きが封じられて、上部から大きい荷重が作用しても、左右側壁部が拡開したり、ぐらついたりするおそれがなく、前開き状態での容器全体の保形性に優れ、段積み荷重を安定性よく支えることができる。それゆえ、段積み状態のままで前壁部分を開放する使用が容易に可能になる。
【００２７】
特に、前記容器本体の底部、後側壁部、左右側壁部の４面を一体に成形して、前記前壁部の前壁部分のみを連接構成した場合は、前記４面の各壁部の一体性や保形性が良好になり、さらに安定性よく段積み荷重を支えることができる上、閉止状態での保冷効果も良好に保持できる。
【００２８】
また、本発明の補強枠を使用することにより、容器本体上部の前後左右各辺の開口端部に対応する４つの断面略伏凹形の枠部材よりなるもので、それぞれの成形が容易であり、また容器本体上部の開口端部に対して容易に被着して連接構成でき、しかも容器本体上部の開口端部に取着した状態において、良好な補強効果を発揮できる。
【発明を実施するための最良の形態】
【００２９】
次に本発明の実施の形態を図面に示す実施例に基づいて説明する。
【００３０】
図１は本発明に係る保冷容器の蓋体を開き、前壁部分を開放した状態の一部を欠截した斜視図、図２は蓋体を被せた包装状態の断面図、図３は同上の蓋体を省略して示す平面図、図４は同上の一部の拡大図、図５は同一部の断面図、図６は前壁部分を除く容器本体（カバー体は省略）の分解斜視図、図７は同上の前壁部の枠部材と側壁部の枠部材との端部構造を示す拡大斜視図、図８は同連結状態の断面図、図９は平面略コ字形の枠部材の拡大断面図、図１０は後壁部の側の枠部材の一部の拡大断面図、図１１は前壁部の開口部における補強用枠部材の取着状態を示す拡大断面図、図１２は前壁部分を閉止した状態の補強用枠部材の部分の断面図、図１３及び図１４は同保冷容器の使用状態を示す斜視図と断面図である。
【００３１】
図に示すように、本発明の保冷容器Ａは、合成樹脂発泡体Ｆを主体として形成された底部１１及び前後側壁部１２，１４及び左右側壁部１３，１５よりなる平面略矩形の容器本体１０と、前記容器本体１０の上面開口部１０ａを覆う蓋体２０とからなる。前記容器本体１０及び蓋体２０は、それぞれ主体となる合成樹脂発泡体Ｆの容器外側面が可撓性のある防水性シート材を用いて構成したカバー体３０、４０により被装されて構成されている。そして、後述するように、前記容器本体１０の前壁部１２の少なくとも一部が、下端部の折曲可能なカバー体３０による連接部３１ａを介して外側に開放可能に設けられている。１２ａは開放可能な前壁部分を示す。
【００３２】
本発明の場合、前記容器本体１０の上部における開口端部には、前記開放可能な前壁部分１２ａを含めて全周に渡って連続する平面略矩形をなす補強枠１が被着され補強されている。
【００３３】
前記補強枠１は、合成樹脂材や金属材等の剛性素材により形成されてなり、前記容器本体１０の前後壁部１２，１４及び左右側壁部１３，１５による四周各辺の上端部に対応する４つの断面略伏凹形の枠部材２，３，４，５によりなり、該枠部材２，３，４，５が容器本体１０上部の開口端部に嵌合被着されることにより、前記容器本体１０に対応した平面略矩形に連接構成されている。
【００３４】
図６に分解して示すように、前記４つの枠部材２，３，４，５のうち、一方の相対向する両辺、例えば前後両辺の第１の対をなす枠部材２及び４は該辺の長さよりやや短く、他方の相対向する両辺、例えば左右両辺の第２の対をなす枠部材３，５は、それぞれの両端部３ａ，３ａ及び５ａ，５ａが前記開口端部のコーナー部に沿って相対向方向に屈曲延成されて平面略コ字形をなし、該枠部材３，５の端部３ａ，５ａと前記第１の枠部材２，４の端部２ａ，４ａとが突き合わせ状に連接されるように形成されている。
【００３５】
連接の手段として、図７及び図８に拡大して示すように、前記第１の枠部材２，４の端部２ａ，４ａには、前記第２の枠部材３，５の端部３ａ，５ａの水平板部の下に挿入される連結片２ｂ，４ｂが突設され、該連結片２ｂ，４ｂに係合孔２ｃ，４ｃが形成されるとともに、その上に載設する前記枠部材３，５の水平板部の下面に前記係合孔２ｃ，４ｃに対し嵌入可能な係合突起３ｃ，５ｃが設けられ、前記容器本体１０の開口端部に対する被着状態において、前記係合孔２ｃ，４ｃに前記係合突起３ｃ，５ｃが嵌入せしめられるようになっている。これにより、前記補強枠１の組立が容易になり、容器本体１０の開口端部に被着するのと同時に、前記各枠部材２，３，４，５を相互を連結することができる。
【００３６】
前記の補強枠１における平面略コ字形の前記第２の枠部材３，５には、断面逆凹形の内外両側板の長手方向の所要間隔毎に、容器本体１０上部の開口端部に対する嵌合時の抜け止めになる逆鉤３ｄ，５ｄが設けられており、一旦、容器本体１０の開口端部（図の場合は左右側壁部１３，１５の上端部）に被着した状態において、前記逆鉤３ｄ，５ｄが合成樹脂発泡体Ｆに対して食い込んで引っかかりとなり、該開口端部からの浮きや離脱を阻止できるようになっている（図９の拡大図参照）。またこれにより、前記一方の枠部材２，４についても、前記連結片２ｂ，４ｂを介して被着状態に安定性よく保持できるようになっている。
【００３７】
さらに、図の場合、前記補強枠１を構成する４つの枠部材２，３，４，５のうち、後壁部１４の上端部に嵌合被着される枠部材４の内側には、長手方向の所要間隔毎に、被着状態において、後壁部１４の上端部に有するスリット１４ｄに差し込まれる補強リブ４ｄが設けられるとともに、該後壁部１４に突き刺し可能な下方向きの突き刺しピン４ｅが設けられており、前記被着状態を安定性よく保持できるようになっている。前壁部１２の側の枠部材２にも補強リブ２ｄが設けられている。
【００３８】
前記容器本体１０は、前記の開放可能な前壁部分１２ａを除いて、底部１１、後側壁部１４及び左右側壁部１３，１５の４面を含む全体が、主体となる合成樹脂発泡体により一体に成形されている。そして、前壁部１２は、その幅方向の少なくとも一部（全部又は一部）、例えば図のように、前壁部１２における左右両側に若干幅の端壁部分１２ｅ，１２ｅを残すようにして、幅方向の中央部分が前壁部１２の上端から底部１１の上面近傍位置まで開口せしめられるとともに、これとは別に成形されて前記開口部１６に対して前記補強枠１の下で嵌合する前壁部分１２ａが、前記カバー体３０による折曲可能な連接部３１ａを介して前記底部１１と連接され外側に開放可能に設けられている。
【００３９】
そのため、前記カバー体３０は、前記容器本体１０の底部１１、前後壁部１２，１４及び左右側壁部１３，１５に対応する各面部分が、縫製手段等により連接構成されるとともに、前壁部１２に対応する前面部分３２が、左右側壁部１３，１５に対応する側面部分と切り離されて底部１１に対応する部分から連続する前面下部３１に対して折曲可能に連接されており、前記前壁部分１２ａは、前記前面部分３２に装着されることにより、折曲可能な前記連接部３１ａを介して開閉可能に設けられている。
【００４０】
また、前記カバー体３０の左右側面部分より連続する前面両側部分３０ａ，３０ａは、前記端壁部分１２ｅ，１２ｅの前面に接着手段等により装着され、さらにその上端部が、前記端壁部分１２ｅ，１２ｅの上端部、好ましくは該上端部に嵌合被着された前記補強枠１の一部、例えば平面コ字形の前記第２の枠部材３，５の端部３ａ，５ａに対し、図４及び図５のように該部分を貫通する止め手段３６，３６により固定されており、前記端壁部分１２ｅ，１２ｅの前面からの浮きや外れを防止できるように設けられている。図５，図７及び図８中の符号３ｅは、前記止め手段３６の貫通を可能にする切欠である。前記枠部材５の端部にも同様の切欠が設けられる。この切欠３ｅを貫通孔とすることもできる。
【００４１】
前記開放可能な前壁部分１２ａは、１枚の板状をなすものであってもよいが、図示する実施例の場合は、上半部１２ｂと下半部１２ｃとに分離形成されて、それぞれ前記カバー体３０の前記前面部分３２に装着されることにより、前記上半部１２ｂが前記下半部分１２ｃに対して前記前面部分３２による連接部３３で外側に折曲可能に連接されている。すなわち、前記容器本体１０の上面に蓋体２０を被せた状態において、前記前壁部分１２ａの上半部１２ｂのみを外側に折曲して開放させることができるようになっている。前記上半部１２ｂと下半部１２ｃの部分の前記カバー体３０による前面部分３２の外側には、前記上半部１２ｂを前記下半部１２ｃの外側に折曲して合せた状態に保持するために、相互に係合自在な面ファスナー等の係合手段３４ａ、３４ｂが設けられている。
【００４２】
前記開放可能な前壁部分１２ａの両側には、前記カバー体３０の前面部分３２の一部が側方に延設されて、この延設部片３２ａ，３２ａと、該延設部片３２ａ，３２ａが対接し得る前記カバー体３０の左右側面部分より連続する前面両側部分３０ａ，３０ａとに、相互に係合自在な面ファスナー等の係合手段３５ａ，３５ｂが取着されており、この係合手段３５ａ，３５ｂの係合により前記前壁部分１２ａが開口部１６に嵌合した閉止状態に保持できるようになっている。前記延設部片３２ａは、前記係合手段３５ａとともに、上半部１２ｂと下半部１２ｃのそれぞれに対応する部分に分離して形成されているが、これが連続状をなすものであってもよい。
【００４３】
なお、図の場合、前記の補強枠１の前壁部１２に対応する断面略逆凹形の枠部材２は、その内側板２ｆが下方に延長形成されており、前記前壁部分１２ａが前記開口部１６に嵌合したときに、その上端部が前記内側板２ｆの延長部に当接して、それ以上は内方に入り込むまないように嵌合位置が規制され、かつ前壁部分１２ａと前記枠部材２との間の隙間からの冷気流出を防止できるようになっている。
【００４４】
さらに、前記前壁部１２の開口部１６には、左右両側の端壁部分１２ｅ，１２ｅの少なくとも下半部と底部１１の端縁とに沿って、合成樹脂の成形体等よりなる正面よりみてＬ字形の補強用枠部材１８が接着手段等により固定され取着されており、前壁部分１２ａの開閉の繰り返しや内容物品の出し入れによる損傷を防止できるようになっている。図の場合、前記補強用枠部材１８は、対称形の左右部１８ａ，１８ａに分割形成されているが、これを一体成形しておくこともできる。この補強用枠部材１８は、縦辺部分が前記端壁部分１２ｅに嵌着されるとともに、横方向部分に有する突き刺しピン１８ｃが底部１１の端部に突き刺されることにより取着されている。
【００４５】
この補強用枠部材１８の前記両側の端壁部分１２ｅ，１２ｅに沿う部分には、それぞれ容器内側面に沿って開口部１６の内方に張り出した張り出し係合部１８ｂ，１８ｂが一体に形成されており、前記開口部１６に嵌合する前記前壁部分１２ａの両側端部が該張り出し係合部１８ｂ，１８ｂに当接するように設けられている。これにより、前記張り出し係合部１８ｂ，１８ｂは、前記開口部１６に嵌合する前記前壁部分１２ａの容器内方への入り込みを阻止するとともに、該前壁部分１２ａと端壁部分１２ｅとの間からの冷気流出を防止できるようになっている。
【００４６】
前記張り出し係合部１８ｂ，１８ｂは、左右側壁部１３，１５の内面との間に、図１２のように板状の蓄冷体６０を挿入保持するための間隙Ｓを保有するように形成されている。前記蓄冷体６０の形状や収納形態によっては、前記間隙Ｓを設けない場合もある。符号１９は、端壁部分１２ｅ，１２ｅの前面における前記補強用枠部材１８の装着による段差を解消するために付設された補助板であり、容器本体１０を構成する合成樹脂発泡体Ｆと同系樹脂の発泡板等よりなる。
【００４７】
符号３７は、前記前壁部分１２ａの開閉操作用の操作部材であり、開口部１６に嵌合した前壁部分１２ａを引き出せるように設けられている。符号３８は前記カバー体３０の左右側面部分に付設した提げ手部である。符号１１ａは前記底部１１の上面に形成した凸部である。符号２１は前記蓋体２０に設けた被着状態を保持するための係止片であり、該係止片２１と容器本体１０のカバー体３０の外側面とに、被着状態において相互に係合自在な面ファスナー等の係合手段２２，３９が設けられている。この係合片と係合手段を前後壁部の側に設けることもできる。
【００４８】
なお、前記容器本体１０のカバー体３０及び蓋体２０のカバー体４０は、可撓性のある防水性シート材のみにより構成する場合のほか、プラスチック段ボール等の剛性を有する板状材を中芯にして、その表面を防水性シート材により覆ったものを使用することもできる。
【００４９】
前記カバー体３０，４０を構成する防水性シート材としては、例えばアルミ蒸着フィルムやシート、ポリエチレンクロス、ターポリン（ＰＶＣ、ＥＶＡ）、ポリエステルタフナー、ナイロンタフナー等の材質である。もちろん、前記の防水性シート材以外の布地や合成樹脂や紙等により構成したものであってもよい。また、前記シート材は、必ずしも防水性を有する必要はないが、洗浄や拭き取りの容易性等から防水性を有するシート材が好ましい。
【００５０】
前記容器本体１０及び蓋体２０は、合成樹脂発泡体Ｆの主として容器内側面に保護層としての合成樹脂製シートを積層手段等により被覆したものよりなる。これにより使用上での破損防止に効果があり、かつ汚れがつき難いものとなっている。
【００５１】
前記の容器本体１及び蓋体２に使用する合成樹脂発泡体は、その原料に、発泡性合成樹脂粒子を予備発泡して得られた予備発泡粒子を使用して発泡成形したものよりなる。前記発泡性合成樹脂粒子は、合成樹脂に物理型発泡剤を含浸させてなり、加熱によって発泡するものであり、予備発泡させたものも含まれる。なお、本発明では、予備発泡させた所謂予備発泡粒子を主に使用する。
【００５２】
上記発泡性合成樹脂粒子を構成する合成樹脂材料としては、例えばスチレン改質ポリエチレン系樹脂、あるいはポリスチレン、ハイインパクトポリスチレン、スチレン−無水マレイン酸共重合体、スチレン−アクリロニトリル共重合体、スチレン−アクリロニトリル−ブタジエン共重合体等のポリスチレン系樹脂、あるいはポリエチレン、ポリプロピレン、エチレン−酢酸ビニル共重合体等のポリオレフィン系樹脂、あるいはポリエチレンテレフタレート等のポリエステル系樹脂、あるいはポリウレタン等を用いることができる。これらの合成樹脂の混合物やモノマーの共重合体なども使用できる。
【００５３】
また、前記の樹脂に混入する物理型発泡剤としては、例えば、プロパン、ブタン、ペンタン、ヘキサン等の脂肪族炭化水素類、あるいはシクロペンタン、シクロブタン等の脂肪族環化水素類、あるいはアセトンメチルエチルケトン等のケトン類、メタノール、エタノールイソプロピルアルコールなどのアルコール類、あるいは水や二酸化炭素等を用いることができる。
【００５４】
また、前記の発泡樹脂発泡体の少なくとも容器内側面に被覆する合成樹脂製シートとしては、ポリスチレン、ハイインパクトポリスチレン、スチレン−無水マレイン酸共重合体、スチレン−アクリロニトリル共重合体、スチレン−アクリロニトリル−ブタジエン共重合体等のポリスチレン系樹脂、あるいはポリエチレン、ポリプロピレン、エチレン−酢酸ビニル共重合体等のポリオレフィン系樹脂、あるいはポリエチレンテレフタレート等のポリエステル系樹脂、あるいはナイロン等のポリアミド系樹脂等により形成されたフィルムやシートあるいはこれらの複合材が挙げられ、容器本体と同質の素材を用いることができる。
【００５５】
さらに、前記合成樹脂シートとして、アルミニウム等の金属を蒸着した蒸着フィルムやシート、あるいはアルミニウム等を薄く成形して前記樹脂フイルムやシートにラミネートした複合材を用いることができる。蒸着フィルムやアルミニウム薄く成形したものを用いると、保冷効果の持続性が向上する上、外観的体裁も良く、より好ましいものとなる。
【００５６】
上記実施例の保冷容器Ａの使用において、容器本体１０の前壁部１２の開放可能な前壁部分１２ａを図１３のように開口部１６に嵌合して閉止した状態にしておく。こうして、容器内部に保冷対象の生鮮物等の物品（図示省略）を容器本体１０に収納し、さらに蓋体２０を被せて包装した状態において、これを段積みしたままで、容器本体１０の前壁部１２の少なくとも一部の前壁部分１２ａを外側に開放することができる。
【００５７】
例えば、大型冷蔵庫内において内容物を冷却し予冷を行う際は、前記保冷容器Ａを蓋着状態のまま複数段に段積みしておいて、容器本体１０の前壁部１２における少なくとも一部の前壁部分１２ａを、段積み状態のまま外側に開放することができる。また、前記の包装状態での保管、輸送中に内容物品を取り出す場合にも、同様に、前記前壁部分１２ａを段積み状態のまま外側に開放することができる。
【００５８】
前記前壁部分１２ａが、図示するように上半部１２ｂと下半部１２ｃとに分離して形成されている場合は、図１３及び図１４のように、前記前壁部分１２ａにおける上半部１２ｂのみを下半部１２ｃに対し外側に折曲して開放することも、また図１のように、上半部１２ｂと下半部１２ｃの全体を外側に開放することもできる。すなわち、使用上の必要に応じて、前記の開放状態を選択できる。
【００５９】
特に、前記前壁部分１２ａの上半部１２ｂのみを外側に折曲して下半部１２ｃに対し係合手段３４ａ、３４ｂにより係合して開放した場合は、外側への張り出しが小さくなり、限られたスペース内に効率よく段積みして前壁部１２の一部を開放させることができ、この開放状態で台車やパレットに載せて移動させる場合にも、開放した前記前壁部分１２ａが他物に接触したりする虞れがなく、予冷作業等が行い易くなる。
【００６０】
しかも、前記のように前壁部分１２ａを開放した状態において、前記容器本体１０の上部における開口端部は、該端部に被着された平面略矩形の前記補強枠１により連続状に保持されて補強されているため、前面で分離状態になる容器本体１０の特に左右側壁部１３，１５の動きが封じられて、上部から大きい荷重が作用しても、左右側壁部１３，１５が拡開したり、ぐらついたりするおそれがない。そのため、前開き状態での容器全体の保形性に優れ、段積み荷重等の上部からの大きな荷重を安定性よく支えることができる。以て、段積み状態で前壁部分１２を開放する使用（前開き使用）が問題なく可能になる。
【００６１】
そして、前記の前壁部分１２ａを開口部１６に嵌合して閉止した状態においては、前記前壁部分１２ａは、その上端部が、補強枠１の前側の枠部材２における内側板２ｆの延長部に当接し、かつ両側端部が、両側の補強用枠部材１８の張り出し係合部１８ｂ，１８ｂに当接して位置決めされ、さらに両側の延設部片３２ａと、容器本体１０の前面両側部分３０ａ，３０ａに有する係合手段３４ａ、３４ｂの係合により、閉止状態に安定性よく保持され、該前壁部分１２ａが嵌合自在に構成されているものであっても、嵌合部分の隙間からの冷気流通を抑えることができ、保冷状態を良好に保持できる。
【００６２】
なお、上記した実施例では、棚板を使用しない保冷容器について説明したが、このほか、図１５及び図１６の実施例のように、例えば、容器本体１０の後壁部１４の内面に、前記補強用枠部材１８の前記張り出し係合部１８ｂ，１８ｂの上端と同高さ位置に仕切棚板５０を受ける棚板受支用の段部１４ａを設け、該段部１４ａと前記張り出し係合部１８ｂ，１８ｂの上に仕切棚板５０を受支するように構成した容器において、前壁部１２の開放構造、補強枠１の構成等については上記と同様に実施することができる。この実施例において、上記した実施例と共通する構成部位については、同符号を付してその説明は省略する。
【００６３】
この実施例において、前記後壁部１４の内面には、開口端部から前記仕切棚板５０を受ける所要の高さ位置まで延びる縦方向の凹部１４ｂが間隔をおいて複数個所に形成されており、該凹部１４ｂの下端段部が前記棚板受支用の段部１４ａとして形成されている。
【００６４】
前記凹部１４ｂによる前記段部１４ａの幅、間隔および個数等は、受支状態の安定性や強度等を考慮して適宜設定できる。例えば、図のように両端部近傍と中央部との３個所に前記段部１４ａを形成する場合のほか、両端部近傍のみに形成することも、また中央部に一つのやや幅広の段部を形成することもできる。
【００６５】
前記の段部１４ａと前記張り出し係合部１８ｂとにより受支される仕切棚板５０は、前記容器本体１０の内部に挿入できる平面略長方形の板状体よりなり、前記後壁部１４と対応する側辺部の前記凹部１４ｂとの対応位置に該凹部１４ｂに嵌合しかつ前記段部１４ａに係止し得る突縁５１が形成されている。図の場合、仕切棚板５０と容器本体１０の左右側壁部１３，１５の内面との間に、蓄冷体６０を挿入保持できるように形成されている。
【００６６】
前記仕切棚板５０は、ブラスチック段ボールや発泡もしくは非発泡のプラスチック板その他の各種ボード等の、保冷対象の物品を受けることができる強度を有する種々の板状体を使用でき、中でも、プラスチック段ボールが、軽量で取り扱い易くて強度もあり、特に好ましく用いられる。
【００６７】
前記蓄冷体６０としては、合成樹脂製の容体内部に液状の蓄冷剤を封入した略四角形の板状をなすもののほか、蓄冷効果のある種々の構成形態の蓄冷体を使用できる。
【００６８】
また、上記したいずれの実施例においても、蓋体２０を容器本体１０とは別体にして被着自在に構成した場合について説明したが、この蓋体２０については、例えば、該蓋体２０のカバー体４０を容器本体１０のカバー体３０の後面部分に開閉可能に連接しておくことも可能である。
【産業上の利用可能性】
【００６９】
本発明は、果菜類、肉類、魚介類等の生鮮物その他の保冷を要する物品の保管、運搬用の保冷容器に好適に利用でき、さらには保冷を要する各種商品の持ち帰り容器にも好適に利用できる。
【図面の簡単な説明】
【００７０】
【図１】本発明の１実施例に係る保冷容器の蓋体を開き、前壁部分を開放した状態の一部を欠截した斜視図である。
【図２】同上の蓋体を被せた包装状態の断面図である。
【図３】同上の蓋体を省略して示す平面図である。
【図４】同上の一部の拡大図である。
【図５】前図のＶ−Ｖ線の断面図である。
【図６】前壁部分を除く容器本体（カバー体は省略）の分解斜視図である。
【図７】同上の前壁部の枠部材と側壁部の枠部材との端部構造を示す拡大斜視図である。
【図８】同上の連結状態の断面図である。
【図９】平面略コ字形の枠部材の拡大断面図である。
【図１０】後壁部の側の枠部材の一部の拡大断面図である。
【図１１】前壁部の開口部における補強用枠部材の取着状態を示す拡大断面図である。
【図１２】前壁部分を閉止した状態の補強用枠部材の部分の断面図である。
【図１３】同上の保冷容器の使用状態を示す斜視図である。
【図１４】同上の断面図である。
【図１５】本発明の他の実施例を示す同保冷容器の前壁部分を除く容器本体の補強枠を省略した斜視図である。
【図１６】同上の蓋体を被せた包装状態の断面図である。
【符号の説明】
【００７１】
Ａ    保冷容器
Ｓ    間隙
１    補強枠
２，３，４，５  枠部材
２ｂ，４ｂ  連結片
２ｃ，４ｃ  係合孔
２ｄ，４ｄ  補強リブ
３ｃ，５ｃ  係合突起
３ｄ，５ｄ  逆鉤
２ｆ  内側板
１０    容器本体
１１    底部
１２，１４  前後壁部
１２ａ  開放可能な前壁部分
１２ｂ  上半部
１２ｃ  下半部
１２ｅ  端壁部分
１４ａ  段部
１４ｂ  凹部
１４ｄ  スリット
１３，１５  左右側壁部
１６  開口部
１８  補強用枠部材
１８ａ，１８ａ  左右部
１８ｂ，１８ｂ  張り出し係合部
２０  蓋体
２１  係止片
２２  係合手段
３０  カバー体
３０ａ，３０ａ  前面両側部分
３１  前面下部
３１ａ  連接部
３２  前面部分
３２ａ，３２ａ  延設部片
３４ａ、３４ｂ  係合手段
３５ａ，３５ｂ  係合手段
３６  止め手段
４０  カバー体
５０  仕切棚板
５１  突縁
６０  蓄例体
【図１】
2006051961.tif 000003
【図２】
2006051961.tif 000004
【図３】
2006051961.tif 000005
【図４】
2006051961.tif 000006
【図５】
2006051961.tif 000007
【図６】
2006051961.tif 000008
【図７】
2006051961.tif 000009
【図８】
2006051961.tif 000010
【図９】
2006051961.tif 000011
【図１０】
2006051961.tif 000012
【図１１】
2006051961.tif 000013
【図１２】
2006051961.tif 000014
【図１３】
2006051961.tif 000015
【図１４】
2006051961.tif 000016
【図１５】
2006051961.tif 000017
【図１６】
2006051961.tif 000018